(57)【特許請求の範囲】
【請求項１】
ポット本体に貯液した内容液が沸騰したとき、該ポット本体に内蔵した沸騰サーモスイッチを開成してヒータによる加熱を中止する電気ポットであって、
上記ポット本体の口部に対して嵌合可能に設けられ、該口部の後側縁部に対して上下開閉自在に枢着された蓋部に、該ポット本体の内部と外部とを連通する蒸気通路を形成し、
上記蓋部の前側嵌合面に、上記蒸気通路と連通して孔部を設け、
上記孔部と対向する口部の前側嵌合面に、上記口部に対して蓋部を嵌合した際に該孔部を介して蒸気通路内に露出される沸騰サーモスイッチを設け、
上記口部の前側上面部に、上記沸騰サーモスイッチが閉成される方向に対して可撓可能に形成された操作部を設け、
上記操作部の上面全体を、柔軟性を有する保護シートで被覆したことを特徴とする
電気ポット。
【請求項２】
ポット本体に貯液した内容液が沸騰したとき、該ポット本体に内蔵した沸騰サーモスイッチを開成してヒータによる加熱を中止する電気ポットであって、
上記ポット本体の口部に対して嵌合可能に設けられ、該口部の後側縁部に対して上下開閉自在に枢着された蓋部に、該ポット本体の内部と外部とを連通する蒸気通路を形成し、
上記蓋部の前側嵌合面に、上記蒸気通路と連通して孔部を設け、
上記孔部と対向する口部の前側嵌合面に、上記口部に対して蓋部を嵌合した際に該孔部を介して蒸気通路内に露出且つ挿入される感熱体を突設し、
上記感熱体と、上記口部の前側内部に内蔵された沸騰サーモスイッチとを連設し、
上記口部の前側上面部に、上記沸騰サーモスイッチが閉成される方向に対して可撓可能に形成された操作部を設け、
上記操作部の上面全体を、柔軟性を有する保護シートで被覆したことを特徴とする
電気ポット。
【請求項３】
上記口部の前側内部に、該口部の前側上面に設けた操作部と対向して沸騰サーモスイッチを内蔵した
請求項２記載の電気ポット。
【発明の詳細な説明】
【０００１】
【発明の属する技術分野】
この発明は、例えば水道水等の内容液に含まれる薬剤（例えばカルキ）が発する臭いや味を除去することのできる電気ポットに関する。
【０００２】
【従来の技術】
従来、上述の電気ポットは、例えばポット本体に貯液した内容液をヒータにより所定温度に加熱すると、湯沸サーモスイッチが開成され、ヒータによる加熱が中止される機能を備えている。
【０００３】
【発明が解決しようとする課題】
しかし、上述の湯沸サーモスイッチは、確実に開成する温度（例えば約９５℃〜約９７℃）に予め設定しているので、内容液が沸騰されず、内容液に含まれる薬剤（例えばカルキ）を完全に除去することができない。
【０００４】
そこで、湯沸サーモスイッチの他に、内容液が沸騰したときに開成する沸騰サーモスイッチを設けることで、沸騰サーモスイッチが作動するまで、内容液を加熱することができるが、その沸騰サーモスイッチを閉成するための操作手段を設けなければならない。
【０００５】
また、沸騰時に発生する蒸気が手に接触するのを防止するため、蓋部の後部側に設けた蒸気通路を介して大気側に排気するが、ポット本体の前部側に設けた操作部と、後部側に設けた沸騰サーモスイッチとの間を伝達部材（例えばレバー、アーム）で連結しなければならず、内部構造が複雑となるだけでなく、部品数が多くなるため、組付け作業に手間及び時間が掛かる。且つ、伝達部材に撓みや変形が生じやすく、沸騰サーモスイッチを確実に閉成することが困難であるという問題点を有している。
【０００６】
他の方法として、例えばマイコン等の制御手段により温度制御する方法があるが、上述のサーモスイッチよりも回路構成が複雑であり、高価であるため、製作コストが高くなるという問題点を有している。
【０００７】
この発明は上記問題に鑑み、口部に設けた操作部を操作して、沸騰サーモスイッチを直接的に閉成するので、任意時に於いて内容液を確実に熱処理することができると共に、構造及び回路が簡単となり、製造コストの低減を図ることができる電気ポットの提供を目的とする。
【０００８】
【課題を解決するための手段】
請求項１記載の発明は、ポット本体に貯液した内容液が沸騰したとき、該ポット本体に内蔵した沸騰サーモスイッチを開成してヒータによる加熱を中止する電気ポットであって、上記ポット本体の口部に対して嵌合可能に設けられ、該口部の後側縁部に対して上下開閉自在に枢着された蓋部に、該ポット本体の内部と外部とを連通する蒸気通路を形成し、上記蓋部の前側嵌合面に、上記蒸気通路と連通して孔部を設け、上記孔部と対向する口部の前側嵌合面に、上記口部に対して蓋部を嵌合した際に該孔部を介して蒸気通路内に露出される沸騰サーモスイッチを設け、上記口部の前側上面部に、上記沸騰サーモスイッチが閉成される方向に対して可撓可能に形成された操作部を設け、上記操作部の上面全体を、柔軟性を有する保護シートで被覆した電気ポットであることを特徴とする。
【０００９】
請求項２記載の発明は、ポット本体に貯液した内容液が沸騰したとき、該ポット本体に内蔵した沸騰サーモスイッチを開成してヒータによる加熱を中止する電気ポットであって、上記ポット本体の口部に対して嵌合可能に設けられ、該口部の後側縁部に対して上下開閉自在に枢着された蓋部に、該ポット本体の内部と外部とを連通する蒸気通路を形成し、上記蓋部の前側嵌合面に、上記蒸気通路と連通して孔部を設け、上記孔部と対向する口部の前側嵌合面に、上記口部に対して蓋部を嵌合した際に該孔部を介して蒸気通路内に露出且つ挿入される感熱体を突設し、上記感熱体と、上記口部の前側内部に内蔵された沸騰サーモスイッチとを連設し、上記口部の前側上面部に、上記沸騰サーモスイッチが閉成される方向に対して可撓可能に形成された操作部を設け、上記操作部の上面全体を、柔軟性を有する保護シートで被覆した電気ポットであることを特徴とする。
【００１０】
請求項３記載の発明は、上記請求項２記載の構成と併せて、上記口部の前側内部に、該口部の前側上面に設けた操作部と対向して沸騰サーモスイッチを内蔵した電気ポットであることを特徴とする。
【００１１】
【作用】
請求項１記載の電気ポットは、口部と蓋部とを嵌合して、口部の前側嵌合面に設けた沸騰サーモスイッチを、蓋部の前側嵌合面に形成した孔部を介して蒸気通路内に露出することで、蒸気通路に導入される蒸気と、その蒸気で加熱された雰囲気との熱が沸騰サーモスイッチに直接伝搬され、沸騰サーモスイッチが開成して、ヒータによる加熱を中止するので、沸騰した内容液が得られる。口部の前側上面部に対して可撓可能に形成された操作部を操作（例えば指で押圧）して沸騰サーモスイッチを閉成し、その閉成に基づいてヒータで内容液を加熱沸騰させ、内容液に含まれる薬剤（例えばカルキ）を熱処理する。
【００１２】
請求項２記載の電気ポットは、口部と蓋部とを嵌合して、口部の前側嵌合面に突設した感熱体を、蓋部の前側嵌合面に設けた孔部を介して蒸気通路内に露出することで、蒸気通路に導入される蒸気と、その蒸気で加熱された雰囲気との熱が、感熱体を介して沸騰サーモスイッチに伝導又は伝搬され、沸騰サーモスイッチが開成して、ヒータによる加熱を中止するので、沸騰した内容液が得られる。口部の前側上面部に対して可撓可能に設けた操作部を操作（例えば指で押圧）して沸騰サーモスイッチを閉成し、その閉成に基づいてヒータで内容液を加熱沸騰させ、内容液に含まれる薬剤（例えばカルキ）を熱処理する。
【００１３】
請求項３記載の電気ポットは、上記請求項２記載の作用と併せて、口部の前側内部に感熱体と沸騰サーモスイッチとを設けることで、相互の距離が短くなり、雰囲気の熱が効率よく伝搬される。
【００１４】
【発明の効果】
この発明によれば、口部に設けた操作部を操作して、沸騰サーモスイッチを直接的に閉成するので、任意時に於いて内容液を確実に熱処理することができると共に、内部構造が簡素化され、部品数が少なくなるため、組付け作業が簡単且つ容易に行え、作業性が向上する。
【００１５】
しかも、従来例のような制御手段よりも安価なサーモスイッチを用いるので、回路構成が簡単となり、製造コストの低減を図ることができる。且つ、任意時に沸騰させるので、自動的に沸騰させるよりも、電力消費が少なくて済み、経済的である。
【００１６】
さらに、沸騰サーモスイッチを蒸気通路内に対して露出される状態に設けたり、感熱体と沸騰サーモスイッチとを近接して設けることで、熱損失が少なくなり、雰囲気の熱が効率よく伝搬される。且つ、伝搬時間が短くなるため、沸騰温度に達すると略同時に、ヒータによる加熱が即中止され、過沸騰を防止することができる。
【００１７】
【実施例】
この発明の一実施例を以下図面に基づいて詳述する。
図面は沸騰型の電気ポットを示し、図１、図２、図３に於いて、電気ポット１は、ポット本体２の内部に、上面が開口された内容器３を収容し、ポット本体２及び内容器３の開口側周縁部に口部４を嵌着固定し、口部４の上面側開口部に、蓋部５を開閉可能に取付けている。
【００１８】
内容器３の底部側外周面には、主ヒータ６ａと沸騰ヒータ６ｂとを備えたヒータ６を装着しており、ヒータ６は、内容器３に貯液した内容液Ａ（例えば水道水）を加熱沸騰させる。その沸騰した内容液Ａは、後述するエアポンプ１９のポンプ動作により、内容器３の底部に接続した連通管７を介して、口部４の前側下面に設けた注出口８から注出される。
【００１９】
上述の口部４は、後側縁部に形成した枢着部９に、蓋部５の後端側を支軸１０により上下開閉可能に枢着し、前側縁部に形成した係止部１１には、蓋部５の前端側に枢着したロックレバー１２を係止して、蓋部５を、口部４の上面側開口部に対して嵌合した状態（閉塞状態）に固定する。
【００２０】
蓋部５の下面側に固定した内蓋１３は、内容器３の内周縁部と略対応する大きさ及び形状に形成され、内蓋１３の外周縁部に嵌着した合成ゴム製のシールリング１４は、内容器３の内周縁部に対して気密状態に圧接される。
【００２１】
蓋部５と内蓋１３との対向面間に形成した蒸気通路１５は、内容器３内に放出された蒸気Ｓを、後部側（枢着部９）に向けて誘導する後部通路１５ａと、前部側（注出口８）に向けて誘導する前部通路１５ｂとで構成している。
【００２２】
蒸気通路１５の略中央部に形成した開口部１５ｃは、内蓋１３の略中央部に形成した孔部１３ａ…と連通され、開口部１５ｃの下面側には、球体１６を対向して保持し、上面側には、後述する弁体２１を対向して配設している。
【００２３】
後部通路１５ａは、蓋部５の後側上面部に形成した排気孔１７と連通され、前部通路１５ｂは、後述する取付け孔２４と対向して、蓋部５の前側嵌合面に形成した挿入孔１８と連通されている。
【００２４】
前述の蓋部５に内蔵したベローズ式のエアポンプ１９は、周知の構成を有しているので、詳細な説明を省略する。蓋部５の上面側中央部に挿入した操作部２０を押下して、ポンプ本体１９ａの下端側中央部に取付けた合成ゴム製の弁体２１を、開口部１５ｃの上面側周縁部に対して気密状態に圧接し、ポンプ本体１９ａの圧縮動作により供給されるエアの圧力で内容液Ａを注出する。
【００２５】
一方、操作部２０の押下を解除して、ポンプ本体１９ａを圧縮前の状態に復元させ、その圧縮及び復元の繰り返しにより、内容液Ａを任意量注出する。一方、開口部１５ｃを開放すると、内容器３内の蒸気Ｓが後部通路１５ａと、前部通路１５ｂとに導入される。
【００２６】
注出口８の注出側に保持した略球状の弁体２２は、例えばポット本体２が前方に揺動又は傾動したとき、通路を閉塞する。その弁体２２よりも奥の方に保持した略円錐形状の弁体２３は、例えばポット本体２が横転したとき、内容液Ａの圧力で通路を閉塞するので、内容液Ａの漏洩を確実に防止することができる。
【００２７】
上述の取付け孔２４は、上述の挿入孔１８と対向する口部４の前側嵌合面に形成されており、その取付け孔２４に挿入固定した中実又は中空の感熱体２５は、挿入孔１８に対する挿入が容易な形状（例えば略半球形状又は先細形状）に形成され、口部４と蓋部５とを嵌合したとき、挿入孔１８に対して略鉛直に挿入されると共に、前部通路１５ｂ内に対して露出した状態に挿入固定される長さに突設している。
【００２８】
且つ、取付け孔２４と感熱体２５との間に嵌着した耐熱性を有する合成ゴム製のシールリング２６は、口部４と蓋部５とを嵌合して、挿入孔１８の下面側周縁部に対して気密状態に圧接する。
【００２９】
感熱体２５は、口部４の前側内部に取付けた略板状を有する熱伝導体２７の一端側上面に固定され、その熱伝導体２７の他端側上面には、後述する沸騰サーモスイッチ３１を固定している。且つ、感熱体２５及び熱伝導体２７は、熱伝導率の高い金属（例えばアルミニウム、銅又はその他の材質）で形成している。
【００３０】
なお、感熱体２５の挿入側外面に、例えば突起、羽根、孔等を複数形成してもよく、表面積が大きくなるため雰囲気の熱が効率よく伝導される。
【００３１】
口部４の前側上面部に形成した操作部２８は、沸騰サーモスイッチ３１のスイッチ部３１ａを押下する方向及び角度に対して可撓可能に形成され、その操作部２８と、その近傍に配列した沸騰ランプＬ１及び保温ランプＬ２の上面全体を、透明又は半透明に形成した軟質樹脂製の保護シート２９で被覆している。
【００３２】
図４は、ヒータ６の制御回路を示し、ヒータ６は、内容液Ａを沸騰又は湯沸するための主ヒータ６ａと、内容液Ａを保温するための保温ヒータ６ｂとで構成され、ヒータ６ａ，６ｂは並列に接続され、主ヒータ６ａは、沸騰サーモスイッチ３１（手動復帰型）と、湯沸サーモスイッチ３２とに並列して接続され、サーモスイッチ３１，３２は、ヒータ６の温度過昇を防止するための温過防止サーモスイッチ３３を介して電源ライン３４，３５に接続している。
【００３３】
保温ヒータ６ｂは、サーモスイッチ３２とサーモスイッチ３３との中間に接続され、サーモスイッチ３３を介して電源ライン３４，３５に接続している。
【００３４】
また、沸騰ランプＬ１と保温ランプＬ２とは直列して電源ライン３４，３５に接続され、そのランプＬ１，Ｌ２の中間と、主ヒータ６ａとサーモスイッチ３１，３２との中間とを接続している。なお、回路中Ｒ１，Ｒ２は抵抗であり、３６はヒューズである。
【００３５】
沸騰サーモスイッチ３１は、開成時の作動温度を、内容液Ａが蒸発気化する温度（例えば約１００℃）に設定している。一方、湯沸サーモスイッチ３２は、内容器３の底部側下面に装着され、開成時の作動温度を、沸騰温度（約１００℃）よりも低い温度（例えば約９５℃前後）に設定している。なお、サーモスイッチ３１，３２の作動温度を、上述の温度以下又は以上に設定してもよい。
【００３６】
図示実施例は上記の如く構成するものにして、以下、電気ポット１に貯液された内容液Ａを沸騰するときの操作方法を説明する。
先ず、内容液Ａを常温から沸騰させる場合、電源ライン３４，３５を外部電源に接続すると、サーモスイッチ３２，３３は閉成されているので、主ヒータ６ａ及び保温ヒータ６ｂが通電され、内容液Ａが加熱沸騰される。なお、湯沸中は、湯沸ランプＬ１が点灯し、保温ランプＬ２は消灯状態に維持される。
【００３７】
内容液Ａが所定の温度（例えば約９５℃前後）に上昇すると、湯沸サーモスイッチ３２が開成（例えば湯沸温度に達したときから約３０秒〜約６０秒で作動）され、主ヒータ６ａの通電を遮断するので、加熱が中止される。同時に、保温ランプＬ２が点灯し、湯沸ランプＬ１が消灯する。
【００３８】
次に、内容液Ａに含まれる薬剤（例えばカルキ）を熱処理（例えば分解）する場合、図１に示すように、操作部２８を指で押圧して、沸騰サーモスイッチ３１のスイッチ部３１ａを手動によりＯＮ操作して閉成状態に復帰させるので、主ヒータ６ａに通電され、内容液Ａが加熱沸騰される。
【００３９】
沸騰サーモスイッチ３１が作動するまで、内容液Ａを、所定の温度（例えば約１００℃）に加熱沸騰するので、内容液Ａに含まれる薬剤（例えばカルキ）が熱処理され、薬剤が発する特有の臭いや味が除去される。
【００４０】
沸騰時に於いて、蒸発気化した蒸気Ｓは、内蓋１３の孔部１３ａ…と、蒸気通路１５の開口部１５ｃとを介して通路１５ａ，１５ｂに分流され、後部通路１５ａに導入される蒸気Ｓは、排気孔１７を介して大気側に排気される。
【００４１】
一方、前部通路１５ｂに導入される蒸気Ｓと、その蒸気Ｓで加熱された雰囲気との熱で、通路内に露出した感熱体２５を加熱し、熱伝導体２７を介して、沸騰サーモスイッチ３１に伝導又は伝搬するので、沸騰サーモスイッチ３１に対する熱伝搬時間が湯沸サーモスイッチ３２よりも遅く、沸騰サーモスイッチ３１は、沸騰維持時間（例えば約１２０秒）を経て作動する。
【００４２】
沸騰サーモスイッチ３１に伝搬される蒸気Ｓの温度が、所定の温度（例えば約１００℃）になると、沸騰サーモスイッチ３１が開成され、主ヒータ６ａの通電を遮断するので、加熱沸騰が中止される。
【００４３】
以上のように、電気ポット１を構成する口部４に設けた操作部２８を指で押圧操作して、沸騰サーモスイッチ３１を直接的に開成するので、任意時に於いて内容液Ａを確実に熱処理することができると共に、内部構造が簡素化され、部品数が少なくなるため、組付け作業が簡単且つ容易に行え、作業性が向上する。
【００４４】
しかも、従来例のような制御手段よりも安価なサーモスイッチ３１，３２，３３を使用するので、回路構成が簡単となり、製造コストの低減を図ることができる。且つ、任意時に沸騰させるので、自動的に沸騰させるよりも、電力消費が少なくて済み、経済的である。
【００４５】
さらに、感熱体２５と沸騰サーモスイッチ３１とを近接して設けるので、相互の距離及び熱伝導体２７が短くなり、熱損失が少ないため、沸騰サーモスイッチ３１に対して雰囲気の熱が効率よく伝搬される。且つ、沸騰温度に達したとき、沸騰サーモスイッチ３１が開成され、ヒータ６による加熱が即中止されるので、過沸騰を防止することができる。
【００４６】
図５は、口部４の前側嵌合面に露出した沸騰サーモスイッチ３１と、蓋部５の前側嵌合面に形成した露出孔３７とを対向して、沸騰サーモスイッチ３１を、蓋部５の前部通路１５ｂ内に対して露出するその他の実施例を示し、前部通路１５ｂ内に導入した雰囲気の熱を、沸騰サーモスイッチ３１に直接伝導するので、熱損失が少なく、伝導及び伝搬の効率が向上する。沸騰温度に達すると略同時に、ヒータ６による加熱が即中止されるので、上述の実施例と略同等又は以上の作用効果を奏することができる。
【００４７】
内容液Ａを熱処理する場合、操作部２８の下面側に形成したカム部２８ｂにより、口部４の前側内部に枢着した操作レバー３８を介して、沸騰サーモスイッチ３１のスイッチ部３１ａをＯＮ操作する。
【００４８】
なお、口部４と蓋部５とを嵌合したとき、取付け孔２４に嵌着したシールリング２６と、露出孔３７に嵌着したシールリング３０とで気密状態を保持する。
【００４９】
また、図６に示すその他の実施例のように、口部４の前側嵌合周面に露出した沸騰サーモスイッチ３１と、蓋部５の前側嵌合周面に形成した露出孔３７とを対向して、沸騰サーモスイッチ３１を、蓋部５の前部通路１５ｂ内に対して露出してもよく、上述の実施例と略同等の作用効果を奏することができる。なお、沸騰サーモスイッチ３１のスイッチ部３１ａは、操作部２８に形成したカム部２８ｂで直接押圧してＯＮ操作する。
【００５０】
この発明の構成と、上述の実施例との対応において、
この発明のヒータは、実施例のヒータ６及び主ヒータ６ａと、保温ヒータ６ｂとに対応し、
以下同様に、
孔部は、挿入孔１８と、露出孔３７とに対応するも、
この発明は、上述の実施例の構成のみに限定されるものではない。
【００５１】
上述の沸騰サーモスイッチ３１に対する熱伝搬時間を、例えば蒸気通路１５の通路断面積を変更したり、感熱体２５及び熱伝導体２７の大きさ、厚み、長さ、材質を変更する等して最適な時間に可変設定してもよい。
【００５２】
また、感熱体２５を、上述の挿入孔１８と対向する熱伝導体２７の端部を凸状にプレス加工して形成してもよい。
【図面の簡単な説明】
【図１】  電気ポットの内部構造を示す縦断側面図。
【図２】  口部及び蓋部の注出構造を示す縦断側面図。
【図３】  沸騰サーモスイッチの配置状態を示す平面図。
【図４】  電気ポットの回路図。
【図５】  沸騰サーモスイッチを蒸気通路内に対して略鉛直に露出するその他の実施例を示す縦断側面図。
【図６】  沸騰サーモスイッチを蒸気通路内に対して略水平に露出するその他の実施例を示す縦断側面図。
【符号の説明】
Ａ…内容液
Ｓ…蒸気
１…電気ポット
２…ポット本体
４…口部
５…蓋部
６…ヒータ
１５…蒸気通路
１８…挿入孔
２５…感熱体
２７…熱伝導体
２８…操作部
３１…沸騰サーモスイッチ
３７…露出孔
【図１】
0004111632.tif 000002
【図２】
0004111632.tif 000003
【図３】
0004111632.tif 000004
【図４】
0004111632.tif 000005
【図５】
0004111632.tif 000006
【図６】
0004111632.tif 000007